(57)【特許請求の範囲】
【請求項１】
歯科用補綴物を支持するための歯科用インプラントであって、このインプラントが、外表面、頂端、冠状端、ねじ付き部及び縦軸を含む本体を含み、本体の冠状端がカラーを含み、ねじ付き部が、皮質骨と係合するように構成された冠状部及び海綿骨と係合するように構成された頂端部を含み、ねじ付き部がさらに、本体の縦軸側を形成する歯根表面から延びる少なくとも一つのねじ山を含み、この少なくとも一つのねじ山が冠状側フランク、頂端側フランク、及び冠状側フランクと頂端側フランクの間に延びる長さを規定するねじ面を含み、さらにねじ面の長さが冠状部より頂端部で大きく、ねじ山がねじ山の冠状部で頂端部のねじ山深さｄ４より小さいねじ山深さｄ３を持ち、冠状部の冠状側フランクと頂端側フランクが、頂端部の冠状側フランクと頂端側フランクにより形成された角度より大きい角度を形成し、少なくとも一つのねじ山の少なくとも一部分のねじ面が平坦であることを特徴とする歯科用インプラント。
【請求項２】
比率ｄ４／ｄ３が１．５〜２であることを特徴とする請求項１に記載の歯科用インプラント。
【請求項３】
冠状部のねじ山の冠状側フランクと頂端側フランクが５０〜７０度の角度を形成し、頂端部のねじ山の冠状側フランクと頂端側フランクが２５〜４５度の角度を形成することを特徴とする請求項１に記載の歯科用インプラント。
【請求項４】
冠状部のねじ面の長さが０．１ｍｍに等しいかまたはそれより小さく、頂端部のねじ面の長さが０．２ｍｍより大きいかまたはそれに等しいことを特徴とする請求項１に記載の歯科用インプラント。
【請求項５】
冠状端から頂端までを測定したときに歯科用インプラントの長さが６〜７ｍｍであることを特徴とする請求項１に記載の歯科用インプラント。
【請求項６】
歯科用インプラントのカラーが歯科用インプラントの縦軸に対して外向きに先細りとなることを特徴とする請求項５に記載の歯科用インプラント。
【請求項７】
冠状部の歯根表面の最大直径がカラーの最小直径に等しいことを特徴とする請求項５に記載の歯科用インプラント。
【請求項８】
本体の歯根表面上に形成されかつ隣接した頂端側及び冠状側フランク間に設けられた溝をさらに含むことを特徴とする請求項１に記載の歯科用インプラント。
【請求項９】
本体のねじ面上に形成されかつ隣接した頂端側及び冠状側フランク間に設けられた溝をさらに含むことを特徴とする請求項１に記載の歯科用インプラント。
【発明の詳細な説明】
【技術分野】
【０００１】
本発明は、一般的に歯科修復に関し、より詳細には歯科用インプラントに関する。
【背景技術】
【０００２】
インプラント歯科学は、人工要素を使用する患者の口内の一つ以上の歯の修復を含む。かかる人工要素は典型的には、歯科用インプラント、及び歯科用インプラントに固定される補綴歯、アバットメント（単一またはマルチユニット）及び／またはブリッジまたはアーチを含む。
【０００３】
歯科用インプラントは典型的には純チタンまたはチタン合金から作られる。歯科用インプラントは典型的には本体部分及びカラーを含む。本体部分は、歯槽骨中に延びかつそれとオッセオインテグレートするように構成されている。カラーの上部表面は典型的には顎骨の稜と同一平面に置かれる。アバットメント（例えば最終アバットメント）は典型的には、上部表面上に置かれ、歯槽骨の上にある軟組織を通って延びる。最近、幾つかの歯科用インプラントは、顎骨の稜の上にかつ軟組織を完全に通って延びるカラーを持つ。
【０００４】
種々の先細りの及び種々のねじ山輪郭を持つインプラントが従来から知られている。例えば、米国特許第５４２７５２７号は円錐形インプラント設計を記載し、それはインプラントの冠状面、すなわちその最も幅広の端部に骨圧縮を誘発するために円筒状骨切り部位中に置かれる。他のねじ山輪郭及びパターンが従来から知られている。最も一般的な設計は米国特許第５８９７３１９号に示されたような対称的なＶ形状外観を含む。可変ねじ山輪郭は米国特許第５４３５７２３号及び第５５２７１８３号に開示され、それは咬合負荷下の応力伝達に対し数学的に最適化されている。米国特許第３７９７１１３号及び第３８４９８８７号は、インプラントの冠状端に面する平坦架を持つ雄ねじ状特徴を持つ歯科用インプラントを記載する。
【０００５】
かかる従来技術の歯科用インプラントは成功したけれども、歯槽骨とオッセオインテグレートする歯科用インプラントの能力を改良し、かつ歯槽骨内の歯科用インプラントの安定性を改良するための継続的な希望がある。例えば、歯科用インプラントは部分的または完全に無歯の患者を及び／または口の後方領域内の一つ以上の歯を修復するために使用されることが多い。口の後方領域は前方領域より利用可能な骨のより小さい高さを持つことが多い。歯の喪失後に残る骨の骨密度は口の前方領域より後方領域でより小さいことが多い。
【発明の概要】
【０００６】
本発明の一つの側面は、口の前方部のために元々構成された短い歯科用インプラントを単に使用することが後方領域で利用できる骨を最適に使用しないという認識である。従って、口の後方領域での使用のために特に構成された歯科用インプラントに対する要求が存在する。
【０００７】
従って、一実施態様は、外表面、頂端、冠状端、ねじ付き部及び縦軸を含む本体を含む歯科用補綴物を支持するための歯科用インプラントを含む。本体の冠状端はカラーを含む。ねじ付き部は、皮質骨と係合するように構成された冠状部、及び海綿骨と係合するように構成された頂端部を含む。ねじ付き部はさらに、歯根表面から延びる少なくとも一つのねじを含み、この少なくとも一つのねじは冠状側フランク、頂端側フランク、及び冠状側フランクと頂端側フランクの間に延びる長さを規定するねじ面を含む。ねじ面の長さはねじの冠状部より頂端部で小さく、ねじ山はねじ山の冠状部でねじの頂端部のねじ山深さｄ４より小さいねじ山深さｄ３を持ち、冠状部のねじの冠状側フランクと頂端側フランクはねじの冠状側フランクと頂端側フランクにより形成された角度より大きい角度を形成する。
【０００８】
ここに開示された一実施態様は歯科用補綴物を支持するための歯科用インプラントである。このインプラントは、外表面、頂端、冠状端、冠状部、ねじ付き部、及び縦軸を持つ本体を含むことができる。冠状部は、頂端から冠状端に向けて見たときに縦軸に対して内向きに先細りとなるカラーを含む。ねじ付き部は中間部及び頂端部を含み、中間部は縦軸に対して第一角度で内向きに先細りとなり、頂端部は縦軸に対して第一角度より小さい第二角度で内向きに先細りとなる。少なくとも一つのねじ山がねじ付き部の外表面上に設けられる。ねじ山は冠状側フランク、頂端側フランク、及び冠状側フランクと頂端側フランクの間に延びる面を持つ。
【０００９】
ここに開示された別の実施態様は外表面、頂端、冠状端、ねじ付き部及び縦軸を含む本体を持つ歯科用インプラントを含む。本体の冠状端はカラーを含む。ねじ付き部は冠状部、中間部及び頂端部を含む。ねじ付き部はさらに歯根表面から延びる少なくとも一つのねじを含む。この少なくとも一つのねじは冠状側フランク、頂端側フランク、及び冠状側フランクと頂端側フランクの間に延びる面を含む。ねじ面は一般的に冠状部から頂端部に増える厚さを持つ。
【００１０】
本発明のさらなる実施態様は従属請求項により規定される。本発明のこれらの及び他の実施態様は、添付図面を参照した好適な実施態様の以下の詳細な説明から当業者には容易に明らかとなるであろう。本発明は、開示されたいかなる特定の好適な実施態様にも限定されない。
【図面の簡単な説明】
【００１１】
ここに開示された本発明の上述の及び他の特徴は好適な実施態様の図面を参照して以下に説明される。図示された実施態様は説明することを意図しており、本発明を限定することを意図しない。図面は以下の図を含む。
【００１２】
【図１】図１は、患者の顎骨内に埋入された歯科用インプラントの断面側面図である。
【００１３】
【図１Ａ】図１Ａは、本発明の一実施態様による歯科用インプラントの側面図である。
【００１４】
【図１Ｂ】図１Ｂは、図１Ａの歯科用インプラントの透視図である。
【００１５】
【図１Ｃ】図１Ｃは、面Ｅ−Ｅに沿って取った図１Ｄの歯科用インプラントの断面上面図である。
【００１６】
【図１Ｄ】図１Ｄは、図１Ａの歯科用インプラントの断面側面図である。
【００１７】
【図１Ｅ】図１Ｅは、円１Ｅで囲まれた図１Ｄの歯科用インプラントの一部の分解図である。
【００１８】
【図１Ｆ】図１Ｆは、円１Ｆで囲まれた図１Ｅの歯科用インプラントの一部の分解図である。
【００１９】
【図１Ｇ】図１Ｇは、図１Ａの歯科用インプラントの別の側面図である。
【００２０】
【図２Ａ】図２Ａは、歯科用インプラントの別の実施態様の側面図である。
【００２１】
【図２Ｂ】図２Ｂは、図２Ａの歯科用インプラントの透視図である。
【００２２】
【図３】図３は、歯科用インプラントの別の実施態様の側面図である。
【発明を実施するための形態】
【００２３】
図１は、患者の顎骨１０中に埋入された歯科用インプラント２０の一実施態様を示す。下顎骨の後方領域は、歯科用インプラント２０と係合するために利用できる骨をあまり持たず、従って歯科用インプラント２０の移植により起こる骨吸収の量を減らすことが重要である。加えて、患者の顎骨は、硬くて緻密な皮質骨１２の外層と、海綿状の多孔質海綿骨１４の内層を含む。以下に説明されるように、歯科用インプラント２０は、特に下顎の後方領域のために構成され、そこでは短いインプラントが補綴物を良好に支持することができる。
【００２４】
歯科用インプラント２０は、冠状端２２、冠状端２２に略隣接した冠状部２６、頂端２４、及び頂端２４に略隣接した頂端部２８を含む。示されるように、歯科用インプラント２０はまた、ねじ付き部３４及びカラー３６を含むインプラント本体３２を含む。インプラント２０のねじ付き部３４は、ねじ付き部３４の歯根表面４０上に設けられている一対のねじ山３８を含むことができる。ねじ山３８のそれぞれは、ねじ面５８により連結されている頂端側フランク５４及び冠状側フランク５６を含む。各ねじ山３８のベースに歯根表面４０がある。
【００２５】
図１と１Ｇに示されるように、好適な実施態様では、歯科用インプラント２０の冠状部２６内のねじ山３８は、皮質骨１２の層と係合するように構成された皮質層ねじ山１００を含む。歯科用インプラント２０の頂端部２８では、海綿層ねじ山１０２は海綿骨１４の層と係合するように構成されている。皮質骨１２は硬くて緻密であるため、皮質層ねじ山１００は一般的に、海綿層ねじ山１０２に比べたとき比較的浅いねじ山深さｄ３を持つ。逆に、海綿骨１４は海綿状かつ多孔性であるため、海綿層ねじ山１０２は一般的に、皮質層ねじ山１００に比べたとき比較的深いねじ山深さｄ４を持つ。ある実施態様では、海綿層ねじ山１０２は皮質層ねじ山１００より約５０％から約１００％大きいねじ山深さを持つことができる。言い換えれば、比率ｄ４／ｄ３は約１．５〜約２の範囲である。海綿層ねじ山１０２のねじ山深さが大きいほど、海綿層ねじ山１０２を海綿骨中へ深く侵入させ、それは海綿層ねじ山１０２からのより大きな表面積を海綿骨と係合させ、それにより浅いねじ山に比べたときより安定な連結を形成する。
【００２６】
ある実施態様では、ねじ山３８間の距離を指すことができるねじ山ピッチは、インプラント２０の冠状部２６でより細かく、頂端部２８でより粗くすることができる。単一のねじ山３８を持つインプラント２０に対しては、ねじ山ピッチは一般的に一定である。二つ以上のねじ山３８を持つインプラント２０に対しては、別個に考察すると、ねじ山３８のそれぞれのねじ山ピッチは、他のねじ山３８に対して一般的に同一であり、従って各ねじ山３８は、インプラント２０が患者の顎骨１０内で回転されるときにインプラント２０を同じ距離進める。しかし、インプラント２０が均一に間隔を置いて離れている例えば二つのねじ山３８を持つとき、二つのねじ山間のねじ山ピッチは、第一と第二ねじ山間の距離として測定したとき、別個の単一のねじ山３８に対するねじ山ピッチの半分である。従って、冠状部２６内のねじ山ピッチは、冠状部２６に対して追加のねじ山（図示せず）を追加することにより比較的細かくすることができる。例えば、インプラント２０は、冠状部２６から頂端部２８に延びて走る単一のねじ山３８、及び冠状部２６内のみに設けられている第二のねじ山３８を持つことができる。この態様では、冠状部２６内の有効ねじ山ピッチは、細かいねじ山が皮質骨と係合する一方で粗いねじ山が海綿骨と係合するように頂端部２８内の有効ねじ山ピッチより大きくすることができる。さらに別の実施態様では、冠状部２６内で四つのねじ山が使用されることができ、一方、頂端部内で二つのねじ山が使用されることができる。
【００２７】
皮質及び海綿骨部分のそれぞれとの係合をさらに容易にするために、皮質層ねじ山１００は、約６０度であることができる角度ａ１を形成するねじ山フランク５４と５６で比較的幅広であることができ、一方、海綿層ねじ山１０２は、約３５度であることができる角度ａ２を形成するねじ山フランク５４と５６で比較的細かいものであることができる。ある実施態様では、角度ａ１は約５０度〜約７０度であることができる。ある実施態様では、角度ａ２は約２５度〜約４５度であることができる。
【００２８】
同様に、皮質層ねじ山１００は一般的に、海綿層ねじ山１０２より鋭く、皮質層ねじ山１００の面５８は、海綿層ねじ山１０２の厚さｔ２より小さい厚さｔ１を持つ。示されるように、皮質層ねじ山１００の厚さｔ１はゼロに近づくことができ、本質的に刃である面５８をもたらす。この態様では、浅くて鋭いねじ山が硬い皮質骨１２に装填するために使用されることができ、一方、深くて鈍いねじ山が軟らかい海綿骨１４に装填するために使用されることができる。一実施態様では、皮質層ねじ山１００の厚さｔ１は約０．１ｍｍ以下であり、一方、海綿層ねじ山の厚さｔ２は０．１ｍｍ以上である。一実施態様では、厚さｔ１は約０ｍｍ〜約０．１ｍｍの範囲であり、厚さｔ２は約０．１ｍｍ〜約０．３ｍｍの範囲である。
【００２９】
図１を続けて参照すると、カラー３６はまた、患者の歯茎と係合するように構成されることができる。カラーを外向きに先細りとすることにより、インプラント２０は歯茎組織をあまり変位させず、それにより組織をあまり妨害せずかつ患者の歯茎をより良好に保護する。示された実施態様では、カラー３６は、インプラント２０の冠状端２６の歯根表面４０の最大直径に略等しい上面２２の直径まで先細りとなる。使用の一実施態様では、インプラント２０は、インプラント２０の冠状端２６の歯根表面の直径に略等しい骨に形成された穴中に挿入される。この態様では、カラー３６の下方部はこの骨及び／またはそれにかぶさった歯茎組織の穴よりわずかに大きくすることができる。
【００３０】
従って、図１のインプラントでは、ねじ山３８は二つの異なるタイプの骨組織に対して最適化される。この態様では、歯科用インプラント２０はより短く作られることができ、骨組織との確実な連結を形成するために利用できる限られた空間をより効果的に使用することができる。加えて、カラー３６は、ねじ山３８がインプラント２０の安定性を付加するために全体の利用できる皮質骨の利益を獲得するように、軟組織中に置かれるように構成される。
【００３１】
さて図１Ａ−１Ｇを参照すると、図１Ａのインプラント２０がより詳細に説明されるであろう。示されるように、小型の歯科用インプラント２０は縦軸Ｌを持つ。示された実施態様では、インプラント２０は、冠状端２２から頂端２４まで測定したときに長さ約６．５ｍｍである。他の実施態様では、インプラント２０は長さ約５ｍｍ〜８ｍｍ、または約５．５ｍｍ〜７．５ｍｍ、または約６ｍｍ〜７ｍｍであることができる。冠状端２２の直径は約３ｍｍ〜５ｍｍ、または約４ｍｍ、または約４．１ｍｍであることができる。頂端２４の直径は約２ｍｍ〜５ｍｍ、または約４ｍｍ、または約３．９ｍｍであることができる。カラー３６の高さは、縦軸Ｌに沿って測定すると約１ｍｍ〜約２ｍｍ、または約１．５ｍｍであることができる。カラー３６の頂端部の直径は約３ｍｍ〜６ｍｍ、または約５ｍｍ、または約４．９ｍｍであることができる。ねじ付き部３４の高さは約３ｍｍ〜７ｍｍ、または約４ｍｍ〜６ｍｍ、または約５ｍｍであることができる。上述のように、歯科用インプラント２０の示された実施態様は、患者の顎骨中にしっかりと移植されるために歯科用インプラント２０が一般的に標準的な歯科用インプラントよりあまり利用できる貫入深さを持たないので、顎骨の深さが比較的浅いときに特に有用である。上述のように、ねじ付き部及びカラー３６は、保持を促進しかつ骨吸収を抑制するために後方領域の利用できる貫入深さを最適に使用するように構成される。加えて、カラー３６は、患者の歯茎のような患者の軟組織と係合するように構成されることができる。
【００３２】
以下に説明されるように、示された実施態様は、インプラント２０の周りにそれぞれが螺旋状に延びる一対のねじ山３８を含むが、修正された実施態様はより多いまたはより少ないねじ山を含むことができる。加えて、以下に説明されるように、ねじ山３８の面５８により形成される表面及び／または歯根表面４０は一般的に円錐形であるかまたは頂端方向に内向きに先細りとなることができる。ある実施態様では、ねじ山３８の面５８及び／または歯根表面４０により形成される表面は以下に説明されるように、少なくとも二つの異なる逓減度を含む。しかし、他の実施態様では、ねじ山３８の面５８及び／または歯根表面４０により形成される表面は実質的に円筒状であるかまたは別の形状であることができる。インプラント２０はチタンから作られることができるが、種々のタイプのセラミック、プラスチックまたは複合体のような他の材料も使用することができる。
【００３３】
本明細書の説明では、「内向きに」「先細り」となる種々の構造に言及されるであろう。他に特記しない限り、内向きに先細りは、参照された構造の表面が一般的に、この構造がインプラント２０の頂端２４に向けて動くときに歯科用インプラント２０の縦方向中心により近づくようになっていることを意味する。従って、「外向きに先細り」は、参照された構造の表面が一般的に、この構造がインプラント２０の頂端に動くときにインプラント２０の縦方向中心からさらに遠くになっていることを意味する。従って、図１Ａを参照すると、示された実施態様では、カラー３６は一般的に外向きに先細りとなるが、一方、ねじ付き部３４は一般的に内向き先細りとなる。
【００３４】
示された実施態様では、インプラント本体３２は外表面または骨付着成長表面４０を含み、それはオッセオインテグレーションを促進するように構成されることができる。一実施態様では、骨付着成長表面４０は、本体３２の表面積を増やすことによりオッセオインテグレーションを促進するように構成される。この関連では、骨付着成長表面４０は、例えば、酸腐蝕、グリットブラスティング、及び／または機械加工によるような幾つかの異なる態様でインプラン本体３２を粗面化することにより形成されることができる。これに代えて、骨付着成長表面４０は、オッセオインテグレーションを促進するために下方表面をある物質で被覆することにより形成されることができる。ある実施態様では、これは、インプラント本体３２の表面積を減少または増加することをもたらすことができる。リン酸三石灰（ＴＣＰ）及びヒドロキシアパタイト（ＨＡ）のようなリン酸カルシウムセラミックは、外表面４０の化学的性質を変えることによりオッセオインテグレーションを強化することができる材料の例である。他の実施態様では、外表面４０は、例えばオッセオインテグレーションを促進するように構成されているねじ山、微細ねじ山、くぼみ、及び／または溝のような巨視的構造を含むことができ、かつ単独でまたは上述の粗面化及び／または被覆と組み合わせて使用されることができる。一実施態様では、外表面４０は低マイクロメーター範囲の開放細孔を持つ高結晶かつリン酸塩富化酸化チタン微細構造表面のような微細構造表面を含む。かかる表面の例はＮｏｂｅｌ  Ｂｉｏｃａｒｅ  ＡＢにより商標ＴｉＵｎｉｔｅ（登録商標）の下に販売されている。別の実施態様では、本体３２は、微細構造表面を提供するために多孔性ジルコニウムで被覆されることができるジルコニウムセラミックまたは他のセラミック材料から形成されることができる。別の実施態様では、微細構造表面は、オッセオインテグレーションを促進するように構成された物質（例えばＢＭＰ）で被覆されることができる。
【００３５】
続けて図１Ａを参照すると、カラー３６は冠状端からねじ付き部３４まで位置することができかつ、示された実施態様では、ねじ付き部３４と一体的に形成されることができまたはそれに永久的に取付けられることができる。カラー３６は少なくとも部分的に側壁４４により構成されることができる。示された実施態様では、側壁４４は、縦軸Ｌに対して略α度である角度で頂端方向に外向きに先細りとなる。ある実施態様では、αは略０度〜３０度、または略０度〜２０度である。
【００３６】
ある実施態様では、カラー３６の冠状部は、斜めに切られたまたは面取りされた縁４２を持つ。面取りされた縁４２は縦軸Ｌに対して約３０度〜６０度、好ましくは約４５度の角度で方向付けられることができる。面取りされた縁４２の高さは、縦軸Ｌに沿って測定したときに約０．０５ｍｍ〜約０．３ｍｍ、好ましくは約０．１ｍｍであることができる。ある実施態様では、カラー３６の頂端部は、一般的にインプラント本体３２のねじ付き部に隣接している円筒状部４３を含むことができる。円筒状部４３の高さは約０．０５ｍｍ〜約０．３ｍｍ、または約０．２ｍｍであることができる。カラー３６を外向きに先細りとすることにより、インプラント２０は歯茎組織をあまり変位させず、それにより組織をあまり妨害せずかつ患者の歯茎をより良く保護する。
【００３７】
上述のように、外向きに先細りとなるカラー３６は、患者の歯茎のような軟組織と係合するように構成されることができる。カラー３６は表面模様付きのまたは滑らかな表面を持つことができる。滑らかな表面はカラー３６の表面上の歯垢または歯石の蓄積を減らすことができるが、一方、粗い表面はカラー３６への軟組織係合を促進することができ、それはより美的外観をもたらすことができる。外向きに先細りとなるカラー３６の直径は、歯科用インプラント２０と共に使用されるアバットメントの寸法にマッチさせられることができる。例えば、ある実施態様では、冠状端２２の直径は約３ｍｍ〜５ｍｍ、または約４ｍｍ、または約４．１ｍｍであり、カラー３６の頂端部の直径は約３ｍｍ〜６ｍｍ、または約５ｍｍ、または約４．９ｍｍである。カラーの寸法及び形状は種々のプラットフォーム寸法にマッチするように変更されることができる。
【００３８】
修正された実施態様では、カラー３６は、米国特許出願１１／７３９０３４に記載されたような溝を備えることができる。この特許出願の全体は参考としてここに組み込まれる。他の実施態様では、周囲の突起または微細ねじ山をカラー３６上に設けることができる。
【００３９】
図１Ａ−１Ｇに示されかつ上に言及したような実施態様では、ねじ山３８のそれぞれは、面５８により連結される頂端側フランク５４と冠状側フランク５６を含む。各ねじ山３８のベースに歯根表面４０がある。上述のように、示された歯科用インプラント２０は、頂端２４の対向側面で始まりかつインプラント本体３２のねじ付き部３４に沿って対向位置を維持しながらねじ付き部３４に沿って冠状端２２に向けて進む一対のねじ山３８を含む。従って、示された実施態様では、ねじ山３８のそれぞれは特別なねじ山３８の面５８間に略同じ距離を持つ。示された実施態様では、ねじ山３８は約１．６ｍｍのピッチを持ち、それは従来技術で普通であるように、連続ねじ山ピーク間の軸方向距離として規定される。他の実施態様では、ねじ山３８は約０．５〜２．５ｍｍ、または１ｍｍ〜２ｍｍのピッチを持つ。示された実施態様は二つのねじ山３８を示すが、一つまたは三つのような他の好適な数のねじ山３８もまた使用されることができることは認められるであろう。一般的に、もし多数のねじ山３８が使用されるなら、ねじ山３８の始まる位置は頂端２４の周りに互いから略均一に間隔を置かれる。加えて、上述のように、ある実施態様では、冠状部２６は、有効ピッチが冠状部２６でより細かいように頂端部２８より多数のねじ山を含むことができる。
【００４０】
図１Ｇに示されるように、ねじ面５８、側壁４４及び歯根表面４０は縦軸Ｌに対して複数の異なる角度を規定することができる：第一角度αは上述のようにカラー３６の側壁４４により規定されることができ；第二角度βは本体３２の頂端部２８上のねじ山３８の面５８により規定されることができ；第三角度γは本体３２の冠状部２６上のねじ山３８の面５８により規定されることができ；第四角度δは本体３２の頂端部２８上の歯根表面４０により規定されることができ；第五角度εは本体３２の冠状部２６上の歯根表面４０により規定されることができ；第六角度ζはインプラント本体３２の冠状部２６と頂端部２８の間の中間部２９の歯根表面４０により規定されることができる。
【００４１】
ある実施態様では、第一角度αは約０度〜３０度、または約０度〜２０度であることができ；第二角度βは約０度〜３０度、または約０度〜１５度であることができ；第三角度γは約０度〜３０度、または約０度〜１５度であることができ；第四角度δは約０度〜３０度、または約０度〜１５度であることができ；第五角度εは約０度〜３０度、または約０度〜１５度であることができ；かつ第六角度ζは約０度〜４５度、または約０度〜３０度であることができる。
【００４２】
図１Ｇを参照すると、ある実施態様では、歯根表面４０の先細り形状は上述のような可変角度を含むことができる。可変角度は、縦軸に対して歯根表面４０の頂端部２８の角度が略同じ逓減度でより先細りとなり、または冠状部２６のそれよりあまり先細りでないように変動することができる。さらに、ねじ山３８の面５８により形成される表面は上述のように変動する円錐角を規定することができる。ねじ山３８の面５８により規定される角度は、歯根表面４０により形成される変動する円錐角と異なることができる。すなわち、インプラント本体３２の歯根表面４０により規定される円錐角は、ねじ山３８の面５８により形成される円錐角より縦軸に対してより急勾配またはより先細りであることができる。一実施態様では、インプラント本体３２の歯根表面４０により規定される円錐角は、ねじ山３８の面５８により形成される円錐角より大きくすることができる。別の実施態様では、インプラント本体３２の歯根表面４０により規定される円錐角は、ねじ山３８の面５８により形成される円錐角と略同じであることができる。示された実施態様は上述の円錐角関係を利用するけれども、他の好適な関係も使用されることができる。かかる好適な関係は、面５８が略円筒状形状を規定する及び／またはねじ山３８の面５８がインプラント本体３２の歯根表面４０の円錐角に密接にマッチする円錐角を規定するねじ山３８を含むことができる。さらに他の実施態様では、ねじ山３８の面５８により規定される角度及び／または歯根表面４０により規定される角度は、それらが実質的に円筒状であるようにインプラント２０の縦軸に略平行であることができる。この態様で、インプラント２０は、利用できる骨をより効果的に使用しかつ、特に、各タイプの骨のために最も効果的なねじ山形状を提供するように有利に構成される。
【００４３】
図１Ａと１Ｂを参照すると、示された実施態様では、歯科用インプラント２０のねじ付き部３４は、歯科用インプラント２０の頂端部２８上に配置された二つの縦溝４８を含む。縦溝４８は、歯科用インプラント２０を挿入する際に補助するように構成される。縦溝４８は一般的に螺旋形状を含むことができる。さらに、縦溝４８は頂端２４から歯科用インプラント２０の冠状部２６に向けて延びることができる。縦溝４８はインプラント本体３２のねじ付き部３４に沿って略対向位置に設けられることができる。ある実施態様では、各縦溝４８は約３０度〜１５０度回転、または約６０度〜１２０回転、または約９０度回転する。示された実施態様では、縦溝４８は、歯科用インプラント２０が反時計方向に回転されるとき、骨を切断し、または除去するように構成される。さらに、縦溝４８は、歯科用インプラント２０が骨を切断または除去することなく時計方向に回転されることができるように構成される。従って、示された実施態様では、縦溝４８は、インプラント２０が骨中に回転されるときに最小の切断を提供しかつ錐として作用する前縁７０を含む。後縁７２はまた、もしインプラント２０が反時計方向に回転されるなら骨を除去するために使用されることができる切断表面を提供する。
【００４４】
歯科用インプラント２０の示された実施態様は、歯科用インプラント２０が反時計方向に回転されるときに切断するように構成された縦溝４８で示されているが、他の好適な縦溝または縦溝配向もまた使用されることができる。かかる好適な縦溝または縦溝配向は、歯科用インプラント２０が時計方向に回転されるときに切断しまたはタッピング機能を提供するように構成された縦溝を含むことができる。
【００４５】
図１Ａ，１Ｅ及び１Ｆに示されるように、一実施態様では、ねじ付き部３４はまた、インプラント２０の頂端部２８の各対のねじ山間のインプラント本体３２上に設けられた溝５０を含む。ある実施態様では、溝５０はインプラント２０の冠状部２６のねじ山の頂端側フランク５４上に設けられることができる。ねじ山３８間の溝５０はまた、冠状部２６中に延びることができるが、一方、頂端側フランク５４上の溝５０は頂端部２８中に延びることができる。
【００４６】
一般的に、溝５０は略螺旋パターンで延びる。二つの溝５０を持つ示された実施態様では、それぞれの溝５０は実質的に連続している。しかし、変更された実施態様では、一つまたは両方の溝５０は非連続であるように形成されることができる。例えば、溝５０は、略螺旋パターンを一緒に形成する一連の短い溝、くぼみ、またはへこみから形成されることができる。しかし、骨組織が連続導管に沿って成長しやすいことが観察されたように成長して連続溝が骨付着を有利に促進することができる。
【００４７】
図１Ｅと１Ｆに示したように、溝５０は、丸い底部の方に内向きに先細りとなる断面形状を持つ。溝５０の文脈において、内向きに先細りは、略ｖ−形状断面を指し、そこでは溝５０の頂部は底部より幅広であり、外向きに先細りは、略逆ｖ−形状断面を指し、そこでは溝５０の頂部は底部より狭い。ある実施態様では、溝５０は先細りでなくまたは外向きに先細りとなることができる。他の実施態様では、溝５０の底部は丸くなく、代わりに平坦または尖頭であることができる。ある実施態様では、溝５０の頂部は約０．０２５ｍｍ〜約０．４ｍｍ幅、または約０．０５ｍｍ〜０．２ｍｍ幅、または約０．１ｍｍ幅である。ある実施態様では、丸い底部は約０．０１ｍｍ〜０．０６ｍｍ、または約０．０１５ｍｍ〜０．０４５ｍｍ、または約０．０３ｍｍの曲率半径を持つ。ある実施態様では、溝５０は約０．０２〜０．２ｍｍの深さ、または約０．０４〜０．１４ｍｍの深さ、または約０．０７ｍｍの深さである。
【００４８】
図１Ａ，１Ｅ及び１Ｆを続けて参照すると、溝５０は、例えばオッセオインテグレーションのための追加の表面を提供するために歯科用インプラント２０上に設けられる。溝５０は、歯科用インプラント２０の頂端２４で始まることができ、インプラント本体３２の頂端部２８の外面３５上の一対のねじ山３８間に形成されることができる。示された実施態様では、溝５０は頂端部２８の実質的部分に渡ってインプラント２０の冠状端２２に向けて延びることができる。冠状部２６では、溝５０はねじ山３８の頂端側面５４上に延びることができる。変更された実施態様では、冠状部２６の溝５０は、示された配置に加えてまたはそれに代えてねじ山３８の面５８及び／または冠状側部５６上に延びることができる。同様な実施態様では、頂端部２８の溝は、ねじ山の面５８、頂端側部５４及び／または冠状側部５６上にあることができる。上述のように、一対のねじ山３８間の溝５０は、インプラント２０の一部が両方の溝５０を含むようにねじ山３８の頂端側部５４上に形成された溝と軸的に重複することができる。
【００４９】
外面３５は、溝５０がインプラント２０の冠状端２２に向けて散開及び／または先細りとなるように形成されることができる。溝５０の散開及び／または先細りはインプラント２０の略１／４〜１／２回転内の距離に渡って起こることができるが、他の実施態様ではこの距離は１／４〜１／２回転より大きいかまたはそれより小さくすることができる。ある実施態様では、散開及び／または先細りを越えるねじ山間の外面３５の部分は溝５０を含まないであろう。
【００５０】
溝５０は、溝５０がねじ山３８間の頂端側部５４の外面３５の一部のみを占めるような寸法であることができる。他の実施態様では、溝５０は、それらがねじ山３８間の外面３５の部分の実質的に全てを占めるような寸法であることができることが認められるであろう。追加的にまたは代替的に、溝５０はねじ山３８の面５８及び／または上方フランク５６及び／または下方フランク５４上に形成されることができる。
【００５１】
図１Ｃと１Ｄでわかるように、歯科用インプラント２０はまた、歯科用インプラント２０の冠状端２２で開いている中空部または内部連結界面６６を含むことができる。示された実施態様では、中空部６６は円錐形室６８、六角形連結凹所７４及びねじ付き室７０を含む。円錐形室６８と連結凹所７４はアバットメントを受けるように構成されることができ、ねじ付き室７０は結合ねじを受けるように構成されることができる。
【００５２】
ねじ付き室７０は、一般的にアバットメント室６８の下に設けられることができる。上述したように、ねじ付き室７０は、アバットメントをインプラント２０に取付けるように構成された結合ねじ（図示せず）を受けるように構成されることができる。
【００５３】
図１Ａ〜１Ｄに示された特別な実施態様は円錐形室６８と略六角形状の連結凹所７４で示されたが、他の好適な形状及び凹所の形もまた使用されることができる（例えば、方形、丸形でない、及び他の形状）。さらに、歯科用インプラント２０のある実施態様は中空部６６をまとめて省くことができ、外部結合装置（例えば外部六角形）及び／または一体形成アバットメントを使用することができることが当業者により認められることができるだろう。示された実施態様に関して、中空部６６の追加の詳細及び変更実施態様は、「歯科用インプラント及び歯科用要素連結」と題する２００７年４月２３日出願の米国出願Ｎｏ．１１／７３９０２４号として代理人番号ＮＯＢＥＬＢ．２６５Ａの下に本出願と同じ日に出願された本出願人の同時係属出願中に見出されることができ、その全体は参考としてここにまた組み込まれる。
【００５４】
示されたソケット６６は、強化された連結界面を提供し、インプラント２０が多くのタイプの歯科用要素とかみ合うことができるような柔軟性を提供するように構成されることが有利である。特に、上述のように、円錐形部６８は、インプラント２０の縦軸Ｌに対して内向きに先細りとなる側壁を含み、ソケット６６のためのより広い初期開口を提供する。図１Ｄを参照すると、円錐室６８の特別な形状は、縦軸Ｌに対して円錐半角θを規定する。一実施態様では、円錐半角は約５度〜約２０度である。すなわち、円錐形室６８の内壁８０と縦方向中心線Ｌとの間の角度は約５度〜約２０度である。一実施態様では、円錐半角は約１２度である。
【００５５】
一実施態様では、円錐形部６８の長さ（ｄ１）と連結凹所７４の長さ（ｄ２）との間の比は約１：２である。一つの好適な実施態様では、円錐形室６８の深さ（ｄ１）は少なくとも約０．８ｍｍであり、連結凹所７４の深さ（ｄ２）は少なくとも約１．６ｍｍである。図１Ｄに示されるように、円錐形部６８の長さ（ｄ１）は、インプラント２０の上面２１から円錐形部６８の先細り表面８０が終わるソケット６６の部分まで垂直方向に測定した距離である。連結凹所７４の長さ（ｄ２）は、円錐形部６８の終りから連結凹所７４の終わりまで垂直方向に測定される。円錐形部６８の比及び長さと連結凹所７４の深さ及び長さは、インプラントが患者中に入れられるときに、十分な駆動トルクがインプラント２０に伝達されることができるように効果的封止を提供するための十分に長い先細り連結の利益を十分に長い連結凹所７４の持つ利益と組み合わせることが有利である。
【００５６】
示された実施態様のさらに別の利点は、インプラント２０の実質的に平坦な上面２１の面積または厚さである。一実施態様では、インプラント２０の上面２１は有利には、インプラント２０の上面２１上にある歯科修復を支持するための表面を提供することができる。追加的または代替的に、上面２１は、連結凹所７４をバイパスする要素を支持するために使用されることができる。従って、一実施態様では、インプラント２０の上面２１は、上面２１の外周と内周の間で測定したときに少なくとも約０．２ｍｍより大きい厚さを持ち、別の実施態様では、少なくとも約０．３ｍｍより大きい厚さを持つ。一実施態様では、上面２１の厚さは約０．３８ｍｍである。
【００５７】
上述の実施態様は、歯槽骨中に埋入したときの歯科用インプラントの改善された安定性を提供する。さらに、本発明のある実施態様は空間の効率的利用を提供する。例えば、上述のように、冠状部２６では、溝５０は内部連結界面６６を含む本体３２のねじ山３８上に（面５８、冠状側部５６、及び／または頂端側部５４上に）設けられることができる。従って、この場所のインプラント２０の本体の強度は影響を受けないままである。もし溝５０がこの部分の本体３２上に設けられたなら、本体強度を維持するために特別の寸法の最小壁厚を維持しながら内部連結界面６６のために利用可能な空間がより少ないであろう。従って、上述のように配置された溝５０を持つことは連結界面６６のために利用できる空間を改善し、さらにインプラント２０の改善された安定性を提供する。ある実施態様では、もし溝５０が連結凹所７４の部分の面５８にのみ設けられるが、少なくとも部分的にねじ付き室７０の場所に設けられないなら、壁厚は十分であるだろう。
【００５８】
図１Ｇに示されるように、内部連結界面６６を含まない本体３２の部分では、溝は本体３２上に設けられることができる。示された実施態様のインプラント２０はこの部分に内部凹所６６を全く含まないので、これはインプラント２０の強度を実質的に低下しないであろう。これは可変ねじ山厚さのような、この場所のねじ山３８のより薄い面を持つ選択を提供し、それはさらになお改善されたインプラント２０の安定性を提供することができる。従って、溝５０の場所はそれら自身の並びにそれらの特定の場所の安定性を提供する。加えて、強度を弱めることなく利用可能な空間の効率的利用が提供される。溝５０のための場所は内部連結界面６６または外部連結界面のいずれかを持つインプラント上で使用されることができるので、この場所はまた、柔軟性を提供する。
【００５９】
図２Ａと２Ｂは、骨レベルインプラントとして使用するために特に好適な歯科用インプラント２０の別の実施態様を示す。歯科用インプラント２０のこの実施態様はカラーを欠き、従ってこの歯科用インプラント２０は患者の顎骨内に実質的に完全に配置されるように構成される。この歯科用インプラントは冠状端２２、頂端２４、冠状部２６及び頂端部２８を持つ。
【００６０】
示されたように、歯科用インプラント２０は、歯科用インプラント２０の頂端２４から冠状端２２まで延びる均一に離れて間隔を置かれかつ同じピッチを持つ二重ねじ山３８を持つ。加えて、ねじ山３８の第一組と同じピッチを持ちかつそれから均一に離れて間隔を置かれた二つの追加のねじ山３８が、インプラント２０の冠状部２６上に設けられている。従って、冠状部２６は四重ねじ付きであり、一方、頂端部２８は二重ねじ付きである。これは、皮質骨と係合するより細かなねじ付き冠状部２６と、海綿骨と係合するより粗いねじ付き頂端部２８をもたらす。加えて、上述のように、冠状部２６のねじ山深さは、歯科用インプラント２０の頂端部２８のねじ山深さより実質的に浅い。例えば一実施態様では、冠状部２６のねじ山深さは約０．２〜約０．１５ｍｍであることができ、頂端部２８ではねじ山深さは約０．６〜約０．７ｍｍであることができる。一実施態様では、インプラントの冠状部の直径は約４．３ｍｍである。
【００６１】
図３は、図２Ａ及び２Ｂの実施態様と同様の歯科用インプラントの別の実施態様を示す。この実施態様では、インプラント２０は、約０．５ｍｍの高さを持つ短い面取りカラー３６を持つ。先の実施態様のように、このインプラントは実質的に骨レベルに配置されることができる。一実施態様では、このインプラントはカラー３６で約５．０ｍｍの直径を持つことができる。
【００６２】
この発明は特定の好適な実施態様及び実施例で開示されたが、本発明は具体的に開示された実施態様を越えて他の代替実施態様及び／または本発明の使用及び明らかな変更及びそれらの均等物まで拡大されることは当業者により理解されるであろう。加えて、本発明の多数の変更例が示されかつ詳細に述べられたが、この発明の範囲内の他の変更例がこの開示に基づいて当業者には容易に明らかとなるであろう。また、実施態様の特定の特徴及び態様の種々の組み合わせまたは副組み合わせがなされることができかつ本発明の範囲内になお入ることができることは予想される。従って、開示された実施態様の種々の特徴及び態様が開示された発明の変化モードを実施するために互いに組み合わされ、または置換されることができることは理解されるべきである。従って、ここに開示された本発明の範囲は、上述の特に開示された実施態様により限定されるべきでなく、請求項の正しい解釈によってのみ決定されるべきであることが意図されている。
【図１】
0005453413.tif 000002
【図１Ａ】
0005453413.tif 000003
【図１Ｂ】
0005453413.tif 000004
【図１Ｃ】
0005453413.tif 000005
【図１Ｄ】
0005453413.tif 000006
【図１Ｅ】
0005453413.tif 000007
【図１Ｆ】
0005453413.tif 000008
【図１Ｇ】
0005453413.tif 000009
【図２Ａ】
0005453413.tif 000010
【図２Ｂ】
0005453413.tif 000011
【図３】
0005453413.tif 000012